(57)【特許請求の範囲】
【請求項１】
釣竿に設けられるシート本体を有し、このシート本体の中間に魚釣用リールにおける取付脚部を支承するリール脚載置面部を形成し、リール脚載置面部の一方端側に位置して前記シート本体に前記魚釣用リールにおける取付脚部の一方側端部を係止させる第１係止部を設け、前記リール脚載置面部の他方端側に位置して前記シート本体に前記魚釣用リールにおける取付脚部の他方側端部を係止させる第２係止部を有した移動フードを設け、前記リール脚載置面部に載置した魚釣用リールにおける取付脚部を第１係止部と第２係止部の間で固定する釣竿のリール脚固定装置において、
前記リール脚載置面部の両側に、前記魚釣用リールにおける取付脚部の側面を覆って前記リール脚載置面部と前記魚釣用リールにおける取付脚部との間の段差を解消するカバー用突状部を形成し、かつ前記カバー用突状部の長手方向の各位置における峰の高さが、前記リール脚載置面部の端から中央部に向かって次第に高くなるように該峰が傾斜する突状部を形成し、更に前記カバー用突状部の外側面は前記シート本体の握持部外面に連続して形成したことを特徴とする釣竿のリール脚固定装置。
【請求項２】
シート本体の握持部の半径が移動フードを配設したシート本体の部分における半径よりも大きく、かつ握持部の左右幅がカバー用突状部を含む握持部の上下高さよりも小さいことを特徴とする請求項１に記載の釣竿のリール脚固定装置。
【発明の詳細な説明】
【０００１】
【発明の属する技術分野】
本発明は、魚釣用リールを釣竿に装着するために釣竿に設けられる釣竿のリール脚固定装置に関する。
【０００２】
【従来の技術】
魚釣用リールを釣竿に装着するためのリール脚固定装置は、実開平３−９１７７２号公報において知られるように、筒状のシート本体における一方端部位に魚釣用リールの取付脚部の一方側端部が係止される固定フードからなる第１係止部を設け、前記シート本体の他方端部位には魚釣用リールの取付脚部の他方側端部を係止させる第２係止部を有する移動フードが移動自在に装着し、さらに、移動フードはシート本体の外周に形成した雄ねじ部に螺合するナット部材によって長手軸方向に移動させ得るように構成されている。
【０００３】
このようなリール脚固定装置においては筒状のシート本体の前後に固定フード（第１係止部）と移動フード（第２係止部）が位置し、その固定フードと移動フードの中間部に位置して魚釣用リールの取付脚部を載置するリール脚載置面が配置されている。
【０００４】
【発明が解決しようとする課題】
魚釣用リールの取付脚部を載置するリール脚載置面の形状は緩やかな曲面または平面状であるが、リール脚載置面を含む位置でのシート本体部の断面外形状は略円筒状になっている。
【０００５】
また、魚釣用リールの取付脚部を載置するリール脚載置面の形状は緩やかな曲面または平面状であるに対し、魚釣用リールの取付脚部を載置する付近のシート本体の外周面部は略円周面であるため、リール脚載置面とシート本体の外周面の間が不連続で角がある。また、リール脚載置面の幅に比べて魚釣用リールにおける取付脚部の幅は一般に狭い。
【０００６】
このため、リール脚載置面に魚釣用リールの取付脚部を載置して固定した場合、シート本体の握持部外周面とリール脚部の側面との間には凹凸または比較的大きな隙間等の段差が発生する。
【０００７】
ところで、魚釣用リールを装着した釣竿を使用（実釣）するとき、通常、釣竿を握る位置はリール脚を含むリール脚固定装置の近辺領域であり、その結果、握持部を握る手の平または指が、必然的に、リール脚載置面に載置したリール脚部付近の握持部に位置する。従って、釣竿を握る手の平または親指が、上述した凹凸または隙間等の段差にくい込み、不快感を受ける。特に長時間使用したときや強く握ったときには手が痛む。
【０００８】
本発明は前記事情に着目してなされたものであり、その目的とするところは、釣竿を握る手の違和感を緩和し、釣竿の操作性に優れた釣竿のリール脚固定装置を提供することにある。
【０００９】
【課題を解決するための手段】
前記課題を解決するために、請求項１に記載された発明は、釣竿に設けられるシート本体を有し、このシート本体の中間に魚釣用リールにおける取付脚部を支承するリール脚載置面部を形成し、リール脚載置面部の一方端側に位置して前記シート本体に前記魚釣用リールにおける取付脚部の一方側端部を係止させる第１係止部を設け、前記リール脚載置面部の他方端側に位置して前記シート本体に前記魚釣用リールにおける取付脚部の他方側端部を係止させる第２係止部を有した移動フードを設け、前記リール脚載置面部に載置した魚釣用リールにおける取付脚部を第１係止部と第２係止部の間で固定する釣竿のリール脚固定装置において、
前記リール脚載置面部の両側に、前記魚釣用リールにおける取付脚部の側面を覆って前記リール脚載置面部と前記魚釣用リールにおける取付脚部との間の段差を解消するカバー用突状部を形成し、かつ前記カバー用突状部の長手方向の各位置における峰の高さが、前記リール脚載置面部の、前記シート本体の長手軸方向における端から中央部に向かって次第に高くなるように該峰が傾斜する突状部を形成し、更に前記カバー用突状部の外側面は前記シート本体の握持部外面に連続して形成したことを特徴とする釣竿のリール脚固定装置である。
【００１０】
この請求項１に記載された発明によれば、釣竿を握る手の平または指が、上述した凹凸または隙間等の段差にくい込み、不快感を受けるようなことがなく、良好な握持性が得られる。また、リール脚固定装置に装着した魚釣用リールにおける取付脚部の甲の部分の一般的な形態に応じてカバー用突状部が形成されるので、握持領域全体の外面形状が握持し易い形態になり、釣竿の握持性をさらに高める。
【００１１】
請求項２に記載された発明は、カバー用突状部の高さを、魚釣用リールにおける取付脚部の甲の縁の高さよりも低く、かつ取付脚部の垂直状の側面の高さ以上の高さに形成したことを特徴とする請求項１に記載の釣竿のリール脚固定装置である。
【００１２】
この請求項２に記載された発明によれば、リール脚固定装置に装着した魚釣用リールにおける取付脚部の甲の部分を含む握持領域全体の外面が連続的に連なり、釣竿の握持性をさらに高める。
【００１３】
請求項３に記載された発明は、カバー用突状部の高さを、魚釣用リールにおける取付脚部の甲の縁の高さよりも低く、かつ取付脚部の端部と中央部の間の真中の位置での垂直状の側面の高さ以上の高さに形成したことを特徴とする請求項１または請求項２に記載の釣竿のリール脚固定装置である。
【００１４】
この請求項３に記載された発明によれば、リール脚固定装置に装着した魚釣用リールにおける取付脚部の甲の部分を含む握持領域全体の外面が連続的に連なり、釣竿の握持性をさらに高める。
【００１７】
請求項２に記載された発明は、シート本体の握持部の半径が移動フードを配設したシート本体の部分における半径よりも大きく、かつ握持部の左右幅がカバー用突状部を含む握持部の上下高さよりも小さいことを特徴とする請求項１に記載の釣竿のリール脚固定装置である。
【００１８】
この請求項２に記載された発明によれば、握持部が確実に握持し易い形態になり、釣竿の握持安定性を高める。
【００２１】
【発明の実施の形態】
以下、図１〜図９を参照しつつ本発明の一実施形態に係る釣竿のリール脚固定装置について説明する。図１に示されるように、本リール脚固定装置としてのリールシート１は釣竿の竿管２の手元部（竿尻側端部）に設けられている。
【００２２】
リールシート１は内部に竿管２が貫通して装着される合成樹脂からなる略筒状（パイプ状）のシート本体４と、このシート本体４の手元部の外周に装着され、かつシート本体４の長手軸方向に沿って移動可能な移動フード６と、シート本体４に螺着されると共に移動フード６に連結されて移動フード６をシート本体４の長手軸方向に沿って移動させるナット部材８とを備えた構成である。
【００２３】
なお、本実施形態において、シート本体４は竿管２と別体に形成され、竿管２に接着剤等によって固定されているが、竿管２と一体に形成されていても良い。
【００２４】
シート本体４の先端側部分には図５で示すように、スピニングリールなどの魚釣用リールにおける取付脚部５の一方側端部５ａを受けて、これを係止させる第１係止部としての固定フード１０が形成されている。固定フード１０は魚釣用リールにおける取付脚部５の一方側端部５ａが挿入される空間を有しており、この空間の前面には前記取付脚部５の一方側端部５ａを導入するための開口１２が形成されている。
【００２５】
シート本体４には前記取付脚部５を載置するための略平坦なリール脚載置部１４が形成されている。そして、この固定フード１０からリール脚載置部１４の側方に位置する外面部分、及びリール脚載置部１４の反対裏側にわたるシート本体４の外面部分は全体として丸みのある把持しやすいように卵状に緩く膨出した形状とした握持部１５となっている。リール脚載置部１４は図３で示すように、略平面又は緩い曲面状に形成されている。
【００２６】
シート本体４の基端部分は前記握持部１５よりも細くなっており、この手元側小径部に前記移動フード６がシート本体４の長手軸方向に沿って摺動して移動自在に嵌着されている。
【００２７】
前記移動フード６の内面には図示しないボスが内方に突き出して設けられ、このボスはシート本体４に形成された同じく図示しないガイド溝に係合する。これによって、移動フード６が、シート本体４の長手軸方向に沿ってのみ移動するように移動フード６の回転が規制される。
【００２８】
前記ナット部材８はシート本体４における基端部外周に形成した雄ネジ１７に螺合している。
【００２９】
なお、固定フード１０とリール脚載置部１４と握持部１５はシート本体４と一体形成されているが、別体に形成しても良く、その取付け形態は任意である。
【００３０】
前記移動フード６は金属または合成樹脂等によって筒状に形成されたフード本体２１と、このフード本体２１の先端部内面に固着され、かつ魚釣用リールの取付脚部５の他方側端部５ｂを受けて、これを係止させる第２係止部としてのリール脚受け部２２を有してなる。リール脚受け部２２は例えば合成樹脂によって形成されており、リール脚受け部２２には魚釣用リールにおける取付脚部５の他方側端部５ｂが挿入される空間が設けられ、この空間の前面には前記取付脚部５の他方側端部５ｂを導入するための開口２３が設けられている。
【００３１】
前記移動フード６とナット部材８は前後に位置してフード本体２１に配設されるが、両者は離れることなく、前後方向に一体的に移動できるようになっている。また、ナット部材８は移動フード６に回転自在に連結されている。図１で示すように、ナット部材８の外面にはすべり止めのために多数の凹凸２４が形成されている。
【００３２】
図３で示すように、リール脚載置部１４の左右両側にはそれぞれ突状部２５ａ，２５ｂがシート本体４と一体に形成されている。この一対の突状部２５ａ，２５ｂは図１で示すように、シート本体４の長手軸方向に沿って畦状に長く、かつ平行に配置されている。この一対の突状部２５ａ，２５ｂはリール脚載置部１４に載置して支承される魚釣用リールにおける取付脚部５の側面を覆って取付脚部５とリール脚載置部１４の間に形成されようとする段差や凹凸または隙間を解消するカバーとして機能するものであって、魚釣用リールにおける取付脚部５の形態に合わせて構成される。
【００３３】
このため、先に魚釣用リールにおける取付脚部５の形態について説明しておく。図８で示すように、魚釣用リールにおける取付脚部５は脚柱部２７と足部２８がＴ字状に連結して構成され、その足部２８は前後に延び、この一端と他端が、前述した取付脚部５での一方側端部５ａと他方側端部５ｂを構成する。
【００３４】
また、足部２８の横断面形状は図９で示す如く形成されている。つまり、足部２８の下面は凹溝状に形成されていて、その左右縁部分が、足部２８の長手方向に沿った一対の平坦な突当面３１となっている。足部２８の甲の部分は凸状に突き出す円弧曲面に形成されている。足部２８の左右側壁は前記突当面３１から立ち上がる平坦な垂直面３２として形成されている。左右の垂直面３２は平行であり、左右の垂直面３２の距離が足部２８の幅を決める。左右の垂直面３２は脚柱部２７の側壁にわたり面一に延長して形成されている。足部２８の前後端部における甲の背の曲面部分と垂直面３２との境界部分は面取りがなされ、甲の背の曲面部分と垂直面３２とを滑らかにつなぐ小さな曲面３３として形成されている。甲の縁には曲面３３を含まない。甲の縁から曲面３３が始まり垂直面３２に及ぶ。
【００３５】
また、足部２８の甲の背は図８で示すように側方から見て、その長手方向に沿って傾斜しており、その背は図９で示すように丸く円弧状に形成されている。また、図８で示すように、足部２８の甲部の峰の高さは中央部が最も高く、末端部側程低くなっている。脚柱部２７は足部２８の最も高い中央部分から垂直に立脚する。
【００３６】
一般的に使用される標準的なサイズの魚釣用リールにおいて、足部２８の垂直面３２の高さは最も低い前後端位置でも１mm以上ある。好ましくは1.5mm〜２mmであり、仮に前後端部での高さを1.5mm〜２mmとした場合、通常、足部２８の中央付近で脚柱部２７の直前での、垂直面３２の高さは２mm〜３mmである。また、脚柱部２７の前後の長さは8mmであり、足部２８の前後の長さは60mm〜70mm、好ましくは63mmである。
【００３７】
次に、リール脚載置部１４の左右両側位置にそれぞれ設けられる突状部２５ａ，２５ｂを具体的に説明する。図１で示すように、突状部２５ａ，２５ｂの中央に形成される頂部４１は平坦であり、頂部４１から前後に延びる両側端部４２ａ，４２ｂの峰（背）はいずれも下る向きに直線的に傾斜している。
【００３８】
両側端部４２ａ，４２ｂの傾斜角（リール脚載置部１４の面を基準とする角度）はリール脚載置部１４に支承される魚釣用リールにおける取付脚部５の足部２８の甲の傾斜角度と同程度又はやや小さな傾斜角度とするのが望ましく、例えば１°〜１５°とする。
【００３９】
突状部２５ａ，２５ｂの基端側（竿尻側）の端部４２ａの基端部分は丸み４３を介して握持部１５の側面における小径部との段差端面４４に連なり、また、先端側（竿先側）の端部４２ｂの先端は凹状の曲面４５を介して固定フード１０に連続している。
【００４０】
次に、前記突状部２５ａ，２５ｂの具体的な高さ寸法について説明する。ここで、突状部２５ａ，２５ｂの高さＨとは図１で示すように、リール脚載置部１４の突状部取付け根元位置からの峰（頂）までの高さである。
【００４１】
図１で示すＨ1 ,Ｈ2 ,Ｈ3 ,Ｈ4 ,Ｈ5 ,Ｈ6 の位置での寸法を以下に示す。但し、Ｈ1 は竿尻側の端部４２ａの丸み４３直前の位置での高さ、Ｈ3 は頂部４１の竿尻側端の位置での高さ、Ｈ4 は頂部４１の竿先側端の位置での高さ、Ｈ6 は竿先側の端部４２ｂの曲面４４直前の位置での高さ、Ｈ2 はＨ1 の位置とＨ3 の位置との真中位置での高さであり、Ｈ5 はＨ4 の位置とＨ6 の位置との真中位置での高さである。
【００４２】
そして、Ｈ1 は1.5mm〜2mm、Ｈ2 は1.5mm〜2.5mm、Ｈ3 は2mm〜3mm、Ｈ4 は2mm〜3mm、Ｈ5 は1.5mm〜2.5mm、Ｈ6 は1.5mm〜2mmである。
【００４３】
これから分かるように突状部２５ａ，２５ｂの高さは図１で示す場合のように均一かつ直線的に傾斜する場合に限らない。しかし、図１で示す場合のように均一かつ直線的に傾斜する場合が望ましい。また、竿尻側の傾斜と竿先側の傾斜が同じ場合に限らない。例えば竿先側の側端部４２ｂの傾斜を緩く、その高さを高くしてもよい。
【００４４】
そして、前記突状部２５ａ，２５ｂの高さＨはリール脚載置部１４に支承されたときの魚釣用リールにおける取付脚部５の足部２８の甲の縁の高さよりも低く形成され、かつ足部２８の垂直面３２の高さ以上である。つまり足部２８の垂直面３２を実質的に覆う高さであり、足部２８の甲の縁に連なる小さな曲面３３の領域に対応する高さの範囲内である。従って、突状部２５ａ，２５ｂの高さＨは図８で示すように、足部２８の甲が傾斜している場合、その各位置ごとに決まるものである。
【００４５】
すなわち、図７で実線で示すように、突状部２５ａ，２５ｂの高さＨは足部２８の垂直面３２の高さのものであり、図７中、２点鎖線で示す高さは足部２８の甲の縁に連なる小さな曲面３３の上端の高さに一致するものである。突状部２５ａ，２５ｂの高さＨはこの実線と２点鎖線で示す両者の範囲内に入る高さが望ましい。
【００４６】
なお、図７で１点鎖線で示す高さのものでは足部２８の垂直面３２の上部分が突状部２５ａ，２５ｂで十分に覆うことができず、握持するときの違和感が発生する程の大きな段差が生じる。
【００４７】
また、図３で示すように、前記突状部２５ａ，２５ｂはリール脚載置部１４に向く内側の壁面が垂直な平坦面であり、これらの左右両側の壁面４６ａ，４６ｂは互いに平行な関係にある。突状部２５ａ，２５ｂの外向きの側面４７ａ，４７ｂは図３で示す如く、シート本体４における把持しやすく膨出した握持部１５の外表面４８に滑らかに連なって一体的な曲面を形成している。また、突状部２５ａ，２５ｂの外向きの側面４７ａ，４７ｂの上端には丸み（Ｒ面）４９が形成されている。
【００４８】
このリール脚載置部１４を形成したシート本体４の握持部１５付近での横断面形状は図３で示すように高さｈに比べて幅ｗが狭く、上下に長い、いわば楕円状である。ここで、高さｈはシート本体４の下面から突状部２５ａ，２５ｂの頂部までの寸法である。高さｈと幅ｗの具体的な寸法は例えば、高さｈが２４mm〜２８mm、幅ｗは２１mm〜２４mmである。また、ｗ／ｈ＝0.1〜0.7が好ましい。
【００４９】
従って、シート本体４において、リール脚載置部１４の側方に形成されたカバー用突状部２５ａ，２５ｂからリール脚載置部１４の反対裏側に位置する握持部１５にわたるシート本体４の外面部分の横断面外形状が、いわば楕円形の一部を形成する。そして、リール脚載置部１４に魚釣用リールの取付脚部５を支承した図４で示す状態ではそのカバー用突状部２５ａ，２５ｂが足部２８の側面を覆っており、その突状部２５ａ，２５ｂの外側面が、支承した取付脚部５の足部２８の甲の表面に近接して連なる形態になる。つまり、突状部２５ａ，２５ｂの外側表面と足部２８の背面が作る包絡面が、楕円の短径端の曲面を形成する。また、リール脚載置部１４と取付脚部５の足部２８の間によって形成されるべき、凹部や隙間などの段差が覆われ、全体的に見ると、図４で示すように、リール脚支承部に滑らかな曲面からなる握持面部３０を形成することになる。従って、握持する際にリール脚支承部付近で違和感が生じない。
【００５０】
一方、リール脚載置部１４の幅、つまり突状部２５ａ，２５ｂの壁面４６ａ，４６ｂの間の距離は魚釣用リールにおける取付脚部５の足部２８が入る幅に選定されるが、リール脚載置部１４に足部２８を設置したとき、両側に形成される隙間ｇが把持する時に違和感を生む程の凹部が生じないように極力小さくなるように設計される。特に片側の隙間ｇが1mm以下、特に0.5mm程度が好ましい。従って、標準的な魚釣リールの取付脚部５の足部２８に対応して、突状部２５ａ，２５ｂの壁面４６ａ，４６ｂの間の距離は15mm以上で１6mm以下が望ましい。
【００５１】
また、図１で示すように、握持部１５の外表面４８は移動フード６の先端縁外周面に面一になるように形成されている。
【００５２】
次に、上記構成のリールシート１を用いて、スピニングリールなどの魚釣用リールを釣竿に装着する方法について説明する。
【００５３】
まず、ナット部材８を緩め方向に回転操作して、ナット部材８を後退させる。すると、ナット部材８と一緒に移動フード６が竿管２の手元部（竿尻側端部）に向けて移動し、固定フード１０から手元側に遠ざかり、リール脚載置部１４の領域を大きくあける。
【００５４】
そこで、魚釣用リールにおける取付脚部５の足部２８をリール脚載置部１４に位置決め載置すると共に、取付脚部５の一方側端部５ａを固定フード１０に挿入して係止させる。
【００５５】
続いて、ナット部材８を締付け方向に回転操作し、移動フード６を固定フード１０に近づけるように先端側（竿先側）へ移動させる。この時、移動フード６の図示しないボスがシート本体４の図示しないガイド溝に係合しているため、移動フード６はシート本体４に対して回転することなく、シート本体４の軸方向（長手方向）に沿って前進する。そして、魚釣用リールにおける取付脚部５の他方側端部５ｂが移動フード６のリール脚受け部２６に係止する。
【００５６】
最後に、ナット部材８を、さらに強く締め込むと、取付脚部５がリールシート１の移動フード６と固定フード１０の間で、きつく挟持される。
【００５７】
実釣時に魚釣用リールが取り付けられた釣竿を握るとき、通常の握り方の場合では、図１０で示す如く、リール脚載置部１４に装着した魚釣用リールの取付脚部５の脚柱部２７を中指と薬指の間に挟み、移動フード６と固定フード１０が位置する握持部１５の部分を握持する。
【００５８】
このため、リール脚載置部１４に支承した魚釣用リールの足部２８の部分にも手が当たるが、その足部２８の側面、特に垂直面３２が突状部２５ａ，２５ｂによって覆われると共に、突状部２５ａ，２５ｂの外側表面が足部２８の甲表面に近接して略連なる状態にあり、また、突状部２５ａ，２５ｂと足部２８の甲との間に隙間があっても僅かであり、リールシート１を握持する手には違和感がほとんど感じられない。従って、釣竿を握る手が受ける違和感を緩和し、釣竿の操作性を向上する。
【００５９】
また、本実施形態では突状部２５ａ，２５ｂと足部２８の甲との間には僅かな隙間が残るが、突状部２５ａ，２５ｂの外向きの上端には丸み４９が形成され、足部２８の甲の縁には曲面３３が形成されているので、その釣竿を握る手に隙間の違和感をほとんど感じさせない。
【００６０】
特に、突状部２５ａ，２５ｂの外側面と足部２８の背面が作る包絡面が、図４で示すように、楕円の短径端部形状の曲面を形成するため、リール脚載置部１４と取付脚部５の足部２８の間によって形成されるべき、凹部や隙間などの段差が覆われるだけでなく、図４で示すように、全体として、把持しやすく縦が長く横が短い卵形の握持部形状をなすので、軸回りに回りにくく、竿が回る不快感を回避でき、かつ釣竿の握持が安定する。
【００６１】
なお、本実施形態においてはフード本体３１をナット部材８と同様の材料によって形成してもよい。シート本体４に設ける固定フード１０と移動フード６の位置を前後逆に配置するようにしてもよい。また、パイプ状リールシート形式のものに限らず、さらに、本発明はパイプ状リールシート形式のものに限らず、板状リールシート形式等にも適用できる。
【００６２】
【発明の効果】
以上説明したように本発明によれば、釣竿を握る手の平または指が、上述した凹凸または隙間等の段差にくい込み、不快感を受けるようなことがなく、良好な握持性が得られる。
【００６３】
この請求項２及び請求項３に記載された発明によれば、リール脚固定装置に装着した魚釣用リールにおける取付脚部の甲の部分を含む握持領域全体の外面が連続的に連なり、釣竿の握持性をさらに高める。
【００６４】
この請求項４に記載された発明によれば、リール脚固定装置に装着した魚釣用リールにおける取付脚部の甲の部分の一般的な形態に応じてカバー用突状部が形成されるので、握持領域全体の外面形状が握持し易い形態になり、釣竿の握持性をさらに高める。
【００６５】
この請求項５に記載された発明によれば、握持部が確実に握持し易い形態になり、釣竿の握持安定性を高める。
【００６６】
請求項６に記載された発明によれば、リール脚固定装置に装着した魚釣用リールにおける取付脚部とカバー用突状部の隙間が僅かであるので、握持する際の違和感が緩和され、釣竿の握持性をさらに高める。
【図面の簡単な説明】
【図１】本発明の一実施形態に係る釣竿のリール脚固定装置の側面図。
【図２】前記釣竿のリール脚固定装置の平面図。
【図３】図１及び図２中Ａ−Ａ線に沿って切断したリール脚固定装置の横断面図。
【図４】図１及び図２中Ａ−Ａ線に沿って切断したリール支承状態でのリール脚固定装置の横断面図。
【図５】リール支承状態での前記リール脚固定装置の側面図。
【図６】図５中Ｂ−Ｂ線に沿って切断したリール脚載置部に魚釣用リールの足部を支承した状態での横断面図。
【図７】図５中Ｂ−Ｂ線に沿って切断したリール脚載置部に魚釣用リールの足部を支承した状態での突状部の変形例を示す横断面図。
【図８】魚釣用リールのリール脚の側面図。
【図９】前記リール脚の足部の横断面図。
【図１０】魚釣用リールの足部を支承した状態での釣竿握持する状態の説明図。
【符号の説明】
１…リールシート
２…竿管（釣竿）
４…シート本体
６…移動フード
８…ナット部材
１０…固定フード
１４…リール脚載置部
２５ａ…突状部
２５ｂ…突状部
２８…足部
３２…垂直面
【図１】
0004344067.tif 000002
【図２】
0004344067.tif 000003
【図３】
0004344067.tif 000004
【図４】
0004344067.tif 000005
【図５】
0004344067.tif 000006
【図６】
0004344067.tif 000007
【図７】
0004344067.tif 000008
【図８】
0004344067.tif 000009
【図９】
0004344067.tif 000010
【図１０】
0004344067.tif 000011